(57)【要約】【課題】発光する光が海面から確認しやすい浮子の提供【解決手段】第１光ファイバー３ａ、第２光ファイバー３ｂ、及び第３光ファイバー３ｃは、それぞれ赤色発光ダイオード４に接続されている。第２光ファイバー３ｂの先端は、円筒チューブ２のほぼ中間に位置し、第１光ファイバー３ａの先端は、第２光ファイバー３ｂの先端よりも円筒チューブ２の先端側に、第３光ファイバー３ｃの先端は、第２光ファイバー３ｂの先端よりも赤色発光ダイオード４側に、それぞれ位置する。第１光ファイバー３ａの先端は、多角錐形状の一つとして、四角錐に加工されている。このように、第１光ファイバー３ａの先端を多角錐形状に加工することによって、第１光ファイバー３ａの先端から発せられる光を、第１光ファイバー３ａの先端方向以外の方向へ赤色発光ダイオード４が発した光を進行させることができる。【選択図】  図２
2010051177.tif 000002
【特許請求の範囲】
【請求項１】
水面に浮遊する浮子であって、
発光手段、
前記発光手段が発する光を所定の方向へ導く導光手段、
を有する浮子であって、
前記導光手段は、
多角錐形状に加工されている端部を有すること、
を特徴とする浮子。
【請求項２】
請求項１に係る浮子であって、
前記導光手段は、
当該導光手段の内部を進行した後、前記多角錐形状を有する端部から外部に進行する光が、水面方向へ進行しないような頂角を有する前記多角錐形状に加工されていること、
を特徴とする浮子。
【請求項３】
請求項２に係る浮子であって、
前記導光手段は、
四角錐形状に加工されている端部を有すること、
を特徴とする浮子。
【請求項４】
請求項１〜請求項３に係る浮子のいずれかであって、
前記導光手段を複数有すること、
を特徴とする浮子。
【発明の詳細な説明】
【技術分野】
【０００１】
本発明は、浮子に関し、特に発光手段を用いるものに関する。
【背景技術】
【０００２】
従来の魚釣り用浮子を図９及び図１０を用いて説明する。図９に示すように、魚釣り用浮子１００は、発光源１１０とバッテリ１２２を収容すると共に浮力を得るボディ１０３と、このボディ１０３の上部に取り付けられてあたりをとる棒状のトップ１０２と、ボディ１０３の下部に取り外し可能に取り付けられバッテリ１２２などの交換を可能とするソケット１０４とで構成されている。
トップ１０２は浮子下の魚の動きや餌の様子を伝える目印となるものであり、発光源１１０から光を受けて明るくなることに加え、破損しにくくしかも軽い材料によって形成されている。このトップ１０２は、餌落ちやあたりなどの水面Ｓ下の状況を確実にそして細かに伝えるため、色分けされた目盛り１０５を設けて視認性を向上させている。
また、トップ１０２は、光ファイバ１０６とその周囲を覆う鞘管１０７との２層構造とされている。
【０００３】
図１０に示すように、光ファイバ１０６と鞘管１０７との間には隙間を設けて空気層１０８をつくり、トップ１０２としての浮力が増すようにしている。光ファイバ１０６の周囲には螺旋状に細かな傷１２３を入れることによって光が漏れ出るように形成されている。
２層構造となっているトップ１０２は、鞘管１０７の方に目盛り１０５が入れられている。目盛り１０５は、トップ１０２を構成する鞘管１０７の周面に縦方向に黒色部１０５ｂと有色部１０５ｃとに交互に色分けしている。この場合、黒色部１０５ｂは光を発しない一方、有色部１０５ｃは内側の光ファイバ１０６から漏れる発光ダイオードの光を透過させて所定の色で発光する。トップ１０２には、黒色部１０５ｂ及び有色部１０５ｃがそれぞれ６箇所ずつ設けられている。
【特許文献１】特開２０００−４１５５２号  公報
【発明の開示】
【発明が解決しようとする課題】
【０００４】
しかしながら、前述の魚釣り用浮子１００には、以下のような改善すべき点がある。魚釣り用の浮子１００は、浮子本体の光の輝度は仰角すべてに対して同じである。このため、実際の釣時においては、点灯している光が水中に入光してしまい、魚の警戒心を刺激してしまい、好釣果に結びつかない、という改善すべき点がある。
そこで、本発明は、発光する光が海面から確認しやすい浮子を提供する。
【発明の効果】
【０００５】
本発明者は、様々な検討を重ねた結果、本発明に係る浮子を完成した。本発明における課題を解決するための手段及び発明の効果を以下に示す。
本発明に係る浮子は、水面に浮遊する浮子であって、発光手段、前記発光手段が発する光を所定の方向へ導く導光手段、を有する浮子であって、前記導光手段は、多角錐形状に加工されている端部を有する。
これにより、導光手段によって所定の方向に導かれた光のうち多角錐形状に加工される前の端部から当該所定の方向に沿って外部に進行していた光を、当該所定の方向以外の方向へ進行させることができる。つまり、発光手段が発する光を有効に利用することができる。
【０００６】
本発明に係る浮子では、前記導光手段は、当該導光手段の内部を進行した後、前記多角錐形状を有する端部から外部に進行する光が、水面方向へ進行しないような頂角を有する前記多角錐形状に加工されている。
これにより、発光手段が発する光を、水面方向へ進行させないようにすることができる
本発明に係る浮子では、前記導光手段は、四角錐形状に加工されている端部を有する。  これにより、光量を得ることができ、かつ、容易に先端を加工することができる。
本発明に係る浮子では、前記導光手段を複数有する。これにより、容易に多点視認可能な浮子とすることができる。
【発明を実施するための最良の形態】
【０００７】
以下、本発明の実施形態について、図面を参照しながら詳細に説明していく。
【実施例１】
【０００８】
１．魚釣り用の浮子１の構成
本実施例に係る浮子の一実施例である魚釣り用の浮子１の構成を図１を用いて説明する。魚釣り用の浮子１は、円筒チューブ２、熱収縮チューブ５、上側本体ケース８、下側本体ケース９を有している。
円筒チューブ２は、透明な円筒チューブであり、上側の先端は密閉加工が施されている。また、円筒チューブ２は、アクリル樹脂によって形成されている。さらに、円筒チューブ２は、外面に、赤、黒等によって色づけ加工されたマーキング部２ｗ、２ｘ、２ｙ、２ｚ及び加工が施されていない透明部２ａ、２ｂ、２ｃ、２ｄを有している。
上側本体ケース８及び下側本体ケース９は、ＡＢＳ樹脂などの熱可塑性樹脂によって形成されている。上側本体ケース８及び下側本体ケース９は、両者を一体とし、また、分離するための雌雄ネジ構造を有している。
熱収縮チューブ５は、円筒チューブ２と上側本体ケース８との境界に位置し、円筒チューブ２と上側本体ケース８とを密着固定する。
【０００９】
図１における魚釣り用の浮子１の一部断面図を図２に示す。魚釣り用の浮子１は、光ファイバー３、赤色発光ダイオード４、シーリング６、保持具７、抵抗パーツ１０、リード線１１、電池ケース１２、リチウム電池１３、Ｏリング１４、及びヘッドパーツ１５を有している。
光ファイバー３は、第１光ファイバー３ａ、第２光ファイバー３ｂ、及び第３光ファイバー３ｃを有している。第１光ファイバー３ａ、第２光ファイバー３ｂ、及び第３光ファイバー３ｃは、それぞれ赤色発光ダイオード４に接続されている。これにより、赤色発光ダイオード４が発した光を、各光ファイバーの先端まで導くことが可能となる。
なお、第１光ファイバー３ａ、第２光ファイバー３ｂ、及び第３光ファイバー３ｃの赤色発光ダイオード４への取り付けは、各光ファイバーの赤色発光ダイオード４側の端部を平面研磨光沢処理後、赤色発光ダイオード４に密着接触させる。これにより、赤色発光ダイオード４が発する光の光量ロスを少なくすることができる、
【００１０】
第２光ファイバー３ｂの先端は、円筒チューブ２のほぼ中間に位置し、第１光ファイバー３ａの先端は、第２光ファイバー３ｂの先端よりも円筒チューブ２の先端側に、第３光ファイバー３ｃの先端は、第２光ファイバー３ｂの先端よりも赤色発光ダイオード４側に、それぞれ位置する。
また、第１光ファイバー３ａ、第２光ファイバー３ｂ、及び第３光ファイバー３ｃ、それぞれの先端は、円筒チューブ２を上側本体ケース８に取り付けた状態で、円筒チューブ２の外面に形成されている透明部２ａ、透明部２ｂ、及び透明部２ｃに対応する位置に配置する。このように、透明部２ａ、透明部２ｂ、及び透明部２ｃに対応する位置に第１光ファイバー３ａ、第２光ファイバー３ｂ、及び第３光ファイバー３ｃを配置することによって、赤色発光ダイオード４が発した光を、透明部２ａ、透明部２ｂ、及び透明部２ｃから外部に照射することができる。なお、透明部２ｄは、赤色発光ダイオード４が配置される位置に対応する。
【００１１】
赤色発光ダイオード４は保持具７に保持されている。赤色発光ダイオード４は、熱収縮チューブ５、保持具７、シーリング６、及び上側本体ケース８によって機密性が維持される円筒チューブ２の内部に保持される。赤色発光ダイオード４は、２つの電気的な接続端子を有している。一つの接続端子は、リード線１１ｂを介して抵抗パーツ１０に接続されている。他方の接続端子は、リード線１１ａ及びヘッドパーツ１５を介してリチウム電池１３に接続されている。抵抗パーツ１０は、リード線１１ｃを介して電池ケース１２に接続されている。電池ケース１２は、リチウム電池１３を保持している。
Ｏリング１４は、上側本体ケース８と下側本体ケース９によって形成される本体内部の気密状態を保持するために、上側本体ケース８若しくは下側本体ケース９の雌雄ネジ構造部に設けられる。
【００１２】
２．光ファイバー３の構成
図２に係る第１光ファイバー３ａ、第２光ファイバー３ｂ、及び第３光ファイバー３ｃの構成を図３を用いて説明する。第１光ファイバー３ａ、第２光ファイバー３ｂ、及び第３光ファイバー３ｃの構成は長さが異なることを除き、基本的な構成は同じである。従って、第１光ファイバー３ａを例に、各光ファイバーの構成を説明する。図３Ａは第１光ファイバー３ａの上面図を、図３Ｂは第１光ファイバー３ａの正面図を、図３Ｃは第１光ファイバー３ａの底面図を、それぞれ示している。
第１光ファイバー３ａの先端は、多角錐形状の一つとして、四角錐に加工されている。このように、第１光ファイバー３ａの先端を多角錐形状に加工することによって、第１光ファイバー３ａの先端から発せられる光を、第１光ファイバー３ａの先端方向以外の方向へ赤色発光ダイオード４が発した光を進行させることができる。また、第１光ファイバー３ａの先端から発せられる光の光量を多くすることができ、当該光の外部からの視認性を高めることができる。
【００１３】
以下において、第１光ファイバー３ａの先端から発せられる光を当該第１光ファイバー３ａの先端方向以外の方向へ進行させることができる理由を説明する。図４は、図３ＡにおけるＸ−Ｘ断面を示した図である。図４に示すように、第１光ファイバー３ａの先端の四角錐形状における頂角の値を２Ｄとする。
この場合、赤色発光ダイオード４が発した光のうち、第１光ファイバー３ａ内を直進する入射光ｒ１は、角錐面に対して、入射角（９０°−Ｄ）で入射する。そして、入射した光の一部は、反射角（９０°−Ｄ）で反射し、第１光ファイバー３ａ内を反射光ｒ３として進行する。反射光ｒ３は、対向して位置する角錐面に対して入射角Ｒで進入する。このとき、進入した光の一部は、角錐面で屈折し、屈折角Ｉで角錐面を通過し、第１光ファイバー３ａの外部へと進行する屈折光ｒ５となる。このときの、入射角Ｒと屈折角Ｉとの関係は、以下の式（１）により表すことができる。
【００１４】
【数１】
2010051177.tif 000003
なお、入射元の媒質の屈折率をｎ１、入射先の媒質の屈折率をｎ２としている。
ここで、第１光ファイバー３ａのコア部分の材質をポリメチルメタクリレート樹脂とすると、空気の屈折率を１とすると、ポリメチルメタクリレート樹脂の屈折率は約１．４９であるため、ｓｉｎ（Ｉ）/ｓｉｎ（Ｒ）＝１．４９となる。
以下において、図４に示す頂角２Ｄに具体的な数値を当てはめた際の、屈折角Ｉについて図５〜図７を用いて検討する。以下においては、第１光ファイバー３ａのコア部分の材質をポリメチルメタクリレート樹脂とする。よって、空気の屈折率を１とすると、ポリメチルメタクリレート樹脂の屈折率は約１．４９であるため、ｓｉｎ（Ｉ）/ｓｉｎ（Ｒ）＝１．４９となる。なお、図５においては頂角２Ｄ＝３６°、図６においては頂角２Ｄ＝６０°、図７においては頂角２Ｄ＝７６°とする。
【００１５】
図５（頂角２Ｄ＝３６°）に示すように、第１光ファイバー３ａ内を進行し、角錐面に入射する入射光ｒ１は、入射角９０°―Ｄ＝９０°−１８°＝７２°で入射する。入射光ｒ１の一部は、角錐面で反射角７２°で反射し、反射光ｒ３となり、第１光ファイバー３ａ内を進行する。反射光ｒ３は、入射角９０°−３×Ｄ＝９０°−３×１８°＝３６°で角錐面に入射し、その一部は、屈折角Ｒで、第１光ファイバー３ａの外部に進行する屈折光ｒ５となる。このとき、式（１）を用いると、屈折角Ｒは約６１．１°となる。
図６（頂角２Ｄ＝６０°）についても同様に計算すると、屈折角Ｒは０°となる。また、  図７（頂角２Ｄ＝７６°）についても同様に計算すると、屈折角Ｒは約３７．３°となる。
図６に示すように、頂角が６０°のときに、屈折角Ｒが０°となる。このときには角錐面での反射光がないため、屈折光ｒ５の外部からの視認性が最も良くなる。
また、図７に示すように、頂角が約７６°のときに、屈折角Ｒが約３８°となるため、屈折光ｒ５は、ほぼ水平となる。したがって、第１光ファイバー３ａのコア部分の材質をポリメチルメタクリレート樹脂である場合、海面方向へ光を進行させないためには、頂角が約７６°よりも鋭角であることが必要となる。
【００１６】
図８に各光ファイバーの先端における多角錐形状の頂角が６０°における、魚釣り用の浮子１の先端から釣り人の位置との距離関係を示す。図８においては、釣り人と魚釣り用の浮子１までの水平距離をＸ、釣り人の視点と魚釣り用の浮子１の光点までの垂直距離をＹ、その仰角をθとする。図５から仰角θ＝３０°となる。ここで、Ｙ＝４ｍとすれば、Ｘ＝約７ｍとなる。従って、釣り人は、魚釣り用の浮子１を約７ｍ先の海面に浮かせることによって、魚釣り用の浮子１を最もはっきりと確認することができる。
なお、特に海上の釣りでは、波、風などの影響があり浮子が垂直に静止状態で留まる事は稀である。よって、現実的には、魚釣り用の浮子１が数度のゆれを伴いながら水面を漂うこととなる。しかしながら、このように魚釣り用の浮子１が漂うことによって、魚釣り用の浮子１が発する光の輝度変化による揺らぎ効果が生じ、結果として、釣り人が魚釣り用の浮子１を確認しやすくなる。
【００１７】
［その他の実施例］
（１）第１光ファイバー３ａの材質
前述の実施例１においては、第１光ファイバー３ａの材質は、プラスチックとしたが、例示のものに限定されない。また、第２光ファイバー３ｂ、第３光ファイバー３ｃについても同様である。
（２）光ファイバー
前述の実施例１においては、導光手段として、光ファイバーを用いたが、光を導くことができるものであれば、例示のものに限定されない。例えば、アクリル棒や透明樹脂によって形成されたものであってもよい。
（３）第１光ファイバー３ａ、第２光ファイバー３ｂ、第３光ファイバー３ｃ
前述の実施例１においては、導光手段として第１光ファイバー３ａ、第２光ファイバー３ｂ、第３光ファイバー３ｃの３本の光ファイバーを用いることとしたが、例示のものに限定されない。例えば、２本の光ファイバー、４本の光ファイバーを用いるようにしてもよい。
（４）多角錐形状
前述の実施例１においては、光ファイバーの先端の形状を、角錐形状としたが、多角錐形状であれば例示のものに限定されない。例えば、三角錐形状、５角錐形状であってもよい。
【産業上の利用可能性】
【００１８】
本発明は、魚釣り用の浮子として用いることができる。
【図面の簡単な説明】
【００１９】
【図１】本発明の一実施例を示す魚釣り用の浮子１の外観図である。
【図２】図１に示す魚釣り用の浮子１の一部断面図である、
【図３】図２に示す第１光ファイバー３ａの拡大図であり、Ａは第１光ファイバー３ａの上面図を、Ｂは第１光ファイバー３ａの正面図を、Ｃは第１光ファイバー３ａの底面図を、それぞれ示している。
【図４】第１光ファイバー３ａの先端断面図及び光反射軌跡を示す図である。
【図５】第１光ファイバー３ａの先端の断面図であり、頂角３６°の時の光反射軌跡を表す図である。
【図６】第１光ファイバー３ａの先端の断面図であり、頂角６０°の時の光反射軌跡を表す図である。
【図７】第１光ファイバー３ａの先端の断面図であり、頂角７６°の時の光反射軌跡を表す図である。
【図８】魚釣り用の浮子１の先端から釣り人の位置との距離関係を示す図である。
【図９】従来の魚釣り用の浮子１を説明するための図である。
【図１０】従来の魚釣り用の浮子１を説明するための図である。
【符号の説明】
【００２０】
１・・・・・魚釣り用の浮子
３・・・・・光ファイバー
３ａ・・・・・第１光ファイバー
３ｂ・・・・・第２光ファイバー
３ｃ・・・・・第３光ファイバー３ｃ
４・・・・・赤色発光ダイオード
【図１】
2010051177.tif 000004
【図２】
2010051177.tif 000005
【図３】
2010051177.tif 000006
【図４】
2010051177.tif 000007
【図５】
2010051177.tif 000008
【図６】
2010051177.tif 000009
【図７】
2010051177.tif 000010
【図８】
2010051177.tif 000011
【図９】
2010051177.tif 000012
【図１０】
2010051177.tif 000013